(57)【要約】  【課題】  光ディスクの記録容量が早期に減少して新たな情報を記録できなくなる不具合を解消し得る記録再生装置を提供する。【解決手段】  テレビ放送番組のジャンルを判別するジャンル判別手段２０ａと、追記型光ディスク１２に記録された情報を消去する消去手段と、記録情報の再生回数をカウントするカウンタ１６と、消去指令を受けたときは、当該追記型光ディスク１２の記録情報を消去させるとともに、この被消去情報の属するジャンルは再生回数のカウントを停止させた後、当該ジャンルについて、メモリ１７に記憶された再生回数カウント値からその平均値を求める演算処理を行い、続いて、この演算結果を有した全ジャンルの平均値のうち再生回数が最も多いジャンルを最高の記録品質とする記録モードを設定し、次に記録指令を受けたときは、記録すべき受信情報のジャンルに応じた記録品質で記録させる制御手段２０と、を備えた。【選択図】      図  １
2007281833.tif 000002
【特許請求の範囲】
【請求項１】
テレビ放送番組の受信情報を追記型光ディスクに記録し、この記録情報を再生する録再手段と、
前記受信情報からそのテレビ放送番組のジャンルを判別するジャンル判別手段と、
前記追記型光ディスクに記録された情報を消去する消去手段と、
前記録再手段による記録情報の再生回数をカウントするカウンタと、
再生開始指令を受けたときに、当該再生情報が属するジャンル毎の再生回数カウント値をメモリに記憶させ、消去指令を受けたときは、当該追記型光ディスクの記録情報を消去させるとともに、この被消去情報の属するジャンルは再生回数のカウントを停止させた後、当該ジャンルについて、前記メモリに記憶された再生回数カウント値からその平均値を求める演算処理を行い、続いて、この演算結果を有した全ジャンルの平均値のうち再生回数が最も多いジャンルを最高の記録品質とする記録モードを設定し、次に記録指令を受けたときは、記録すべき受信情報のジャンルに応じた記録品質で記録させる制御手段と、を備えた記録再生装置。
【請求項２】
前記制御手段が、予めジャンル毎に割り当てられた加重値を前記平均値に加算し、その加重平均値に基づいて前記記録モードを設定することを特徴とする請求項１に記載の記録再生装置。
【請求項３】
光ディスクの種類を判別するディスク判別手段を備え、前記追記型光ディスクから他の光ディスクに記録情報を送出してダビングするとき、前記制御手段が、前記ディスク判別手段からのディスク判別情報に基づいて、予め各光ディスクに割り当てられた記録モードを選択設定してダビングを実行させることを特徴とする請求項１または２に記載の記録再生装置。
【請求項４】
前記制御手段が、前記光ディスクのうち、記録情報の消去可能な光ディスクは低画質の記録モード、消去不可能な光ディスクは高画質の記録モードに選択設定することを特徴とする請求項３に記載の記録再生装置。
【発明の詳細な説明】
【技術分野】
【０００１】
本発明は、光ディスクに音声・映像情報を記録し再生するディスクプレイヤー等の記録再生装置に係り、特に、録画時に記録品質モードを自動選択し得る記録再生装置に関する。
【背景技術】
【０００２】
テレビ放送番組をＤＶＤやＨＤ等の光ディスクに効率よく自動記録する記録再生装置が各種提案されている。
その一例として、利用者の嗜好や趣味の度合いを反映させた予約設定を行う記録再生装置が知られている。
【０００３】
この記録再生装置は、番組情報抽出手段、放送信号記録手段、再生手段、再生時間計測手段、再生時間記憶手段、キーワード設定手段および制御手段を備えて構成されている。
この制御手段は、記録再生装置の使用が開始されると、利用者が予め入力または指定したキーワードが録画された番組の番組情報に存在するかどうかを調べて、各キーワードに対する利用者の興味の度合いをそれぞれ算出する。
そして、この情報と自動録画対象となる番組情報中のキーワード検索結果から自動録画を行う番組に対する利用者の嗜好の度合いを予測し、この嗜好の度合いをもとに自動録画時の記録品質を自動的に決定する。
なお、この嗜好については、検索された各番組データに含まれるキーワードが複数の場合、その中で最も高いキーワードの再生頻度をもつキーワードの再生頻度を、その番組データに対応する番組の嗜好指数としている。
【０００４】
これにより、設定したキーワードをもとに記録する放送番組を選んで記録するキーワード記録の予約に際して、利用者の嗜好や興味を反映させた予約設定できる効果があるというものである。
【特許文献１】特開２００５−３０２２４５号公報また、ユーザーの嗜好に合う番組を高品位の映像で再生できるようにすることを目的とした記録装置および記録方法も提案されている。このものは、入力手段、情報取得手段、レート変換手段、録画再生手段、記憶手段および制御手段を備えて構成されている。そして、この制御手段は、記録装置の使用を開始すると、ユーザーの視聴した番組の履歴を視聴履歴として記録し、エージェントによって視聴履歴からユーザーの視聴傾向を抽出し、チャンネルに選局された番組がユーザーの視聴傾向に一致するかどうかを判定し、一致する場合には高品位の映像を維持できるビットレートのまま記録媒体に記録し、ユーザーの視聴傾向に一致しない場合には低ビットレートに変換して記録媒体に記録する。これにより、比較的に記憶容量の少ない記憶媒体を備えることで、放送される番組を録画して視聴することができる。
【特許文献２】特開２００４−１８６８４５号公報
【発明の開示】
【発明が解決しようとする課題】
【０００５】
しかしながら、上記特許文献１の記録再生装置は、利用者の嗜好の度合いをもとに自動録画時の記録品質を決定するが、再生回数が多くなるにつれて次の記録時における記録品質のレベルが高くなっていた。
すると、１枚当たりの記録容量が限定された光ディスクでは、その記録容量が著しく減少し、他の番組を早期に記録できなくなるという欠点があった。
また、上記特許文献２の記録装置および記録方法は、記録すべき番組がユーザーの視聴傾向に一致する場合には高品位となるビットレート、一致しない場合には低ビットレートに変換して記録媒体に記録するため、再生回数が多くなるにつれて次の記録時における記録品質のレベルが高くなっていた。
よって、上記特許文献１の記録再生装置と同じく、他の番組を早期に記録できなくなる問題が残されていた。
本発明は、上記課題に鑑みてなされたもので、光ディスクの記録容量が早期に減少して新たな情報を記録できなくなる不具合を解消し得る記録再生装置を提供することを目的としている。                 
【課題を解決するための手段】
【０００６】
上記目的を達成するため、本発明による記録再生装置は、テレビ放送番組の受信情報を追記型光ディスクに記録し、この記録情報を再生する録再手段と、前記受信情報からそのテレビ放送番組のジャンルを判別するジャンル判別手段と、前記追記型光ディスクに記録された情報を消去する消去手段と、前記録再手段による記録情報の再生回数をカウントするカウンタと、再生開始指令を受けたときに、当該再生情報が属するジャンル毎の再生回数カウント値をメモリに記憶させ、消去指令を受けたときは、当該追記型光ディスクの記録情報を消去させるとともに、この被消去情報の属するジャンルは再生回数のカウントを停止させた後、当該ジャンルについて、前記メモリに記憶された再生回数カウント値からその平均値を求める演算処理を行い、続いて、この演算結果を有した全ジャンルの平均値のうち再生回数が最も多いジャンルを最高の記録品質とする記録モードを設定し、次に記録指令を受けたときは、記録すべき受信情報のジャンルに応じた記録品質で記録させる制御手段と、を備えたことを特徴としている。
また、前記制御手段が、予めジャンル毎に割り当てられた加重値を前記平均値に加算し、その加重平均値に基づいて前記記録モードを設定することを特徴としている。
また、光ディスクの種類を判別するディスク判別手段を備え、前記追記型光ディスクから他の光ディスクに記録情報を送出してダビングするとき、前記制御手段が、前記ディスク判別手段からのディスク判別情報に基づいて、予め各光ディスクに割り当てられた記録モードを選択設定してダビングを実行させることを特徴としている。
また、前記制御手段が、前記光ディスクのうち、記録情報の消去可能な光ディスクは低画質の記録モード、消去不可能な光ディスクは高画質の記録モードに選択設定することを特徴としている。
【発明の効果】
【０００７】
以上説明したように、本発明による記録再生装置は、記録情報を消去させた全ジャンルの平均値のうち再生回数が最も多いジャンルを最高の記録品質とする記録モードを設定し、次に記録指令を受けたときは、記録すべき受信情報のジャンルに応じた記録品質で記録させるので、従来のように、再生回数が多いほど記録品質が高くなり、光ディスクの記録容量が早期に減少して新たな情報を記録できなくなる不具合を大幅に軽減できる効果がある。
また、前記制御手段が、予めジャンル毎に割り当てられた加重値を前記平均値に加算し、その加重平均値に基づいて記録モードを設定するので、再生回数の多いジャンルを高い記録品質とし、少ないジャンルは低い記録品質にして、光ディスクを効率的に利用できる利点がある。
また、追記型光ディスクから他の光ディスクに記録情報を送出してダビングするとき、予め各光ディスクに割り当てられた記録モードを選択設定してダビングを実行させることから、この光ディスクを効率的に利用できる利点がある。
また、前記制御手段が、光ディスクのうち、記録情報の消去可能な光ディスクは低画質の記録モード、消去不可能な光ディスクは高画質の記録モードに選択設定することから、残しておきたい情報を消去不可能な光ディスクに高画質で記録できる利点がある。
【発明を実施するための最良の形態】
【０００８】
以下、本発明に係る記録再生装置の実施形態について、図面を参照しながら詳述する。
図１は本発明の一実施形態である記録再生装置の電気的構成を示すブロック線図である。
本実施形態の記録再生装置は、ハードディスクレコーダー（ＨＤＤレコーダー）１に適用されたもので、テレビ放送番組の受信音声・映像情報を、ＭＰＥＧ（Moving Picture Experts Group）方式により圧縮符号化し、多重化したうえＭＰＥＧシステムのトランスポートストリーム（ＴＳ：Transport Stream）としてＨＤＤ１１内のハードディスク（ＨＤ）１２に更新記録し、この記録された音声・映像情報をＤＶＤ１５等に録画可能な構成となっている。
図１において、２はチューナであり、アンテナで受信されたテレビジョン放送の情報が導入されている。このチューナ２には、コントローラ２０の指令信号が導かれ、Ａ／Ｄ変換回路３および図示省略したＹ／Ｃ分離回路が接続されている。
【０００９】
そして、リモコン１８の入力操作に基づくコントローラ２０の指令により、選局されたチャンネルの受信信号がＡ／Ｄ変換回路３に送出される。
【００１０】
このＡ／Ｄ変換器２は、アナログのテレビジョン信号をディジタル信号に変換し、ＭＰＥＧコーデック４側に送出する。
【００１１】
このＭＰＥＧコーデック４は、ＭＰＥＧ２ビデオエンコーダ（ビデオエンコーダ）５、オーディオエンコーダ６、マルチプレクサ／デマルチプレクサ７を備えて構成されている。
【００１２】
このＭＰＥＧコーデック４に前記ディジタル信号が入力すると、ディジタル映像信号はビデオエンコーダ５に伝送され、ディジタル音声信号はオーディオエンコーダ６に伝送される。
【００１３】
ビデオエンコーダ５は、ディジタル映像信号を圧縮してマルチプレクサ／デマルチプレクサ７に与え、オーディオエンコーダ６はディジタル音声信号を圧縮してマルチプレクサ／デマルチプレクサ７に与える。
【００１４】
このマルチプレクサ／デマルチプレクサ７は、入力した映像信号のストリームと音声信号のストリームとをマルチプレクスし、ＭＰＥＧ２のシステムストリームに変換するようになっている。
【００１５】
また、このマルチプレクサ／デマルチプレクサ７は、図示しないバッファメモリから受け取ったＭＰＥＧ２のシステムストリームを、映像信号のストリームと音声信号のストリームとにデマルチプレクスし、映像信号をビデオデコーダ８側に、音声信号をオーディオデコーダ９側に送出する。
【００１６】
ビデオデコーダ８は、入力した映像信号のストリームをデコードし、図示しないＤ／Ａ変換器に送出する一方、オーディオデコーダ９は、音声信号のストリームをデコードしてＤ／Ａ変換器にそれぞれ送出する。
【００１７】
これらＤ／Ａ変換器は、入力信号をそれぞれアナログ信号に変換し、映像信号と音声信号とからなるアナログのテレビジョン信号を、外部接続機器（本例ではＴＶ）側に供給するようになっている。
【００１８】
また、前記マルチプレクサ／デマルチプレクサ７は、コントローラ２０と双方向性に接続されている。
このコントローラ２０には、ＨＤＤ（ハードディスクドライバ）１１を制御するＨＤ記録／再生系１０と、ディスクドライバ（ドライバ）１４を制御するディスク記録／再生系１３とが接続されている。
ＨＤＤ１１は、記録指令に応じてＨＤ１２にトランスポートストリームを書き込んで前記音声・映像信号を更新記録する。
また、再生指令に従って記録情報を再生し、外部接続機器側に送出する。さらに、ダビング指令に従って記録情報を再生しつつディスクドライバ１３に供給し、交換型ディスクであるＤＶＤ１５に記録させる。
これにより、ＨＤ１２に長時間にわたって書き込まれた放送番組のうち、選択に応じてＤＶＤ１５に録画することができる。
一方、ディスク記録／再生系１３は、ディスクドライバ１４を制御し、ＤＶＤ１５に前記音声・映像信号を記録させたり、ＤＶＤ１５から音声・映像信号を読み取らせ、その再生信号を出力する。
１６はカウンタであり、コントローラ２０からのカウント開始指令に応じて、ＨＤ１２の再生回数をカウントし、カウント停止指令によりカウントを停止する。
１７はワークメモリであり、カウンタ１６によるジャンル毎の再生回数やコントローラ２０による演算結果のデータ等を記憶する。
１８はリモコンであり、パワーキー、メニューキー、テンキー等に加え、録画したい番組を予約するためのＧコードキーや決定キーを備えている。また、再生したいタイトルの検索、選択、消去、タイマ予約、指定したタイトルの再生開始、一時停止、早送り、早戻し、停止等の各種機能キーも備えている。
【００１９】
また、メニューキーによりテレビ画面にメニューを表示させ、ダビングしたい番組を選択設定できる。
なお、このメニューキーまたは消去キーの操作により、記録情報を消去させる指令信号を送出し、ＨＤ記録／再生系９を制御して、ＨＤ１１内の番組等を消去させることができるようになっている。
このリモコン１８は、何れかのキーが押圧操作されると、この操作内容に応じた指令信号が赤外線信号で送信され、受信部１９を介してＨＤＤプレイヤーのコントローラ２０側に送られる。
【００２０】
このコントローラ２０は、前記マルチプレクサ／デマルチプレクサ６を含むＨＤＤプレイヤー全体の動作を制御するマイクロコンピュータであり、前記回路各部とはその機能に応じて一方向性あるいは双方向性に接続されている。
【００２１】
このコントローラ２０は、ジャンル判別部２０ａやディスク種類判別部（ディスク判別部）２０ｂを備えて構成されている。
ジャンル判別部２０ａは、光ピックアップからディスク面にレーザー光を照射して読み取った管理情報を受けて、予めメモリ１７に記憶されたキーワード等のデータを参照し、スポーツ、ドラマ、アニメ、バラエティといった放送番組のジャンルを判別する。
また、ディスク判別部２０ｂは、前記管理情報を受けて、予めメモリ１７に記憶されたディスクのデータと参照し、ＤＶＤ−Ｒ，ＤＶＤ−ＲＡＭ，ＤＶＤ＋ＲＷ，ＤＶＤ−ＲＷといった各種のＤＶＤ１５を判別する。
さらに、ドライバ１４に装着セットされるその他の交換型光ディスクをも判別する。
次に、上記ＨＤＤレコーダーの再生動作について、図２のフローチャートを参照しつつ説明する。
ユーザーが予め記録された放送番組を視聴したいとき、リモコン１８のキー操作により、記録番組の表示指令を入力する。
これに伴い、コントローラ２０に表示指令が入力すると（ステップＳ１１）、ＴＶの画面に記録番組の一覧情報を表示させる（ステップＳ１２）。
続いて、ユーザーがリモコン１８の操作により、見たい番組を選択すると、その指令信号が入力する（ステップＳ１３）。
コントローラ２０は、ＨＤ記録／再生系１０を制御し、ＨＤＤ１１の動作によって予め記録された記録情報を読み取らせる。そして、選択した番組の管理情報を取得し、再生を開始させる（ステップＳ１４、Ｓ１５）。
この取得した管理情報には、ＥＰＧ情報として番組のタイトル、ジャンル、放送チャンネル、所要時間等が含まれていることから、ジャンル判別部２０ａにより再生する番組のジャンルを判別させる（ステップＳ１６）。
そして、カウンタ１６により当番組の再生回数をカウントさせ、そのカウントデータをメモリ１４に記憶させる（ステップＳ１７）。例えば、この再生番組が野球であると、スポーツのジャンルに１を加算する。
次いで、コントローラ２０は、再生停止指令が入力したか否かを判別し（ステップＳ１８）、再生停止指令があると再生動作を停止させる（ステップＳ１９）。
この後、コントローラ２０は、消去指令が入力したか否かを判別し（ステップＳ２０）、消去指令があった時点で直前に再生した番組の情報を消去させる（ステップＳ２１）。
また、この消去した番組情報に関するジャンルについて、以後の再生回数をカウントする動作を停止させる（ステップＳ２２）。
そして、コントローラ２０は、メモリ１７に記憶されたジャンルの再生回数から、その平均値を求める演算処理を行う（ステップＳ２３）。
前記スポーツのジャンルであれば、野球、サッカー、ラグビー、バレーボール、バスケットボール等の各カウント値から、再生回数の平均値を算出する。
この後、平均値の演算結果に基づいて、当スポーツジャンルにおける記録品質のモードを設定する（ステップＳ２４）。
なお、この記録品質モードは、ＸＰを最高画質としてＳＰ，ＬＰ，ＥＰ，ＳＬＰ，ＳＥＰの順に画質が低くなる６段階の呼称を採用している。
また、このような再生回数の演算処理は、スポーツの他にドラマ、アニメ、バラエティといった他のジャンルについても行われており、メモリ１７に蓄積されたデータに基づいて、記録品質モードを設定する。
この際、コントローラ２０は、平均値の数値が低いと記録品質モードを低くし、数値が高くなるに伴って品質モードを高く設定する。
例えば、平均値がバラエティ２回、ドラマ３回、アニメ４回となっており、スポーツが１回であると、アニメの記録品質モードはＸＰ、ドラマはＳＰ、バラエティはＬＰ、スポーツはＥＰにそれぞれ設定される。
そして、このような記録品質モードの設定結果は、メモリ１７に更新記憶される。これにより、常に最新のデータで全ジャンルについての記録品質のモードが設定されてゆく。
ところで、この記録品質のモード設定においては、より効率的な記録を行うため、予めジャンル毎に割り当てた加重値を前記平均値に加えて決定したり、ダビングするディスクの種別によっても異ならせるようにしている。
まず、加重値を加算する場合は、ジャンルの違いに応じて異なる数値を与える。例えば、前記スポーツは２、バラエティは３、ドラマは４、アニメは５といったように、消去されるまでの再生回数が少ないほど低い数値とし、再生回数の多いものは高い数値を与える。
これにより、再生回数が多いジャンルほど高い記録品質モードになるように設定することができる。
また、セットされるディスクに応じた記録品質のモードを設定する場合は、予めディスクの種類に応じた記録品質モードを割り当て、そのデータをメモリ１７に記憶しておく。
そして、コントローラ２０は、ダビングすべきディスクがセットされると、前記ディスク判別部２０ｂからのディスク判別情報に基づいて、その記録品質モードを設定する。
ＤＶＤ１５の例では、消去不可能なＤＶＤ−Ｒを高画質の記録モードとし、消去可能なＤＶＤ−ＲＡＭ，ＤＶＤ＋ＲＷ，ＤＶＤ−ＲＷを低画質の記録モードとする。また、他の交換型光ディスクも同様に設定しておく。
次に、上記ＨＤＤレコーダーの記録動作について、図３のフローチャートを参照しつつ説明する。
ここでは、受信放送番組を記録したＨＤ１２からＤＶＤ１５にダビングする場合について説明する。
まず、ユーザーはＤＶＤ１５をディスクドライバ１４のディスクトレイにセットしておく。
そして、リモコン１８を操作し、記録したい放送番組の選択設定を行うと、その記録指令がコントローラ２０に導かれる（ステップＳ３１）。
【００２２】
このコントローラ２０は、指令内容から番組情報を取得し（ステップＳ３２）、ジャンル判別部２０ａにより当番組のジャンルを判別させる（ステップＳ３３）。
次いで、コントローラ２０は、予め設定された記録品質のデータから、このジャンルに関した記録品質を照合して、記録品質のモードを決定する（ステップＳ３４）。
続いて、コントローラ２０は、ＨＤ記録／再生系１０とディスク記録／再生系１３とを動作させ、ＨＤＤ１１により記録情報を再生させるとともに、ドライバ１４によってＤＶＤ１５に再生情報を記録させる（ステップＳ３５）。
この後、記録を終了するか否かを判別し（ステップＳ３６）、終了時間になると一連の記録動作を停止させる。
以上のように、このＨＤＤレコーダー１は、記録情報を消去させた全ジャンルの平均値のうち再生回数が最も多いジャンルを最高の記録品質とする記録モードを設定し、次に記録するときは、そのジャンルに応じた記録品質で記録させるので、従来のように、再生回数が多いほど記録品質が高くなり、光ディスクの記録容量が早期に減少して新たな情報を記録できなくなる不具合が大幅に軽減される。
また、予めジャンル毎に割り当てられた加重値を前記平均値に加算し、その加重平均値に基づいて記録モードを設定するので、再生回数の多いジャンルを高い記録品質とし、少ないジャンルは低い記録品質にして、ＨＤ１２を効率的に利用できる。
また、ＨＤ１２からＤＶＤ１５に記録情報を送出してダビングするとき、予めＤＶＤの種別毎に割り当てられた記録モードを選択設定してダビングを実行させることから、このＤＶＤを効率的に利用できる。
また、ＤＶＤのうち、記録情報の消去可能なＤＶＤ−Ｒを高画質の記録モードとし、消去可能なＤＶＤ−ＲＡＭ，ＤＶＤ＋ＲＷ，ＤＶＤ−ＲＷを低画質の記録モードに選択設定するので、残しておきたい情報をＤＶＤ−Ｒに高画質で記録することができる。
【００２３】
なお、本発明は上記の各実施形態に限定されず、本発明の趣旨を逸脱しない範囲で、種々の変更が可能である。
【図面の簡単な説明】
【００２４】
【図１】本発明の一実施形態である記録再生装置の電気的構成を示すブロック線図である。
【図２】同記録再生装置の再生動作を説明するためのフローチャートである。
【図３】同記録再生装置の記録動作を説明するためのフローチャートである。
【符号の説明】
【００２５】
１２      追記型光ディスク
１６      カウンタ
１７      メモリ
２０      制御手段
２０ａ    ジャンル判別手段
【図１】
2007281833.tif 000003
【図２】
2007281833.tif 000004
【図３】
2007281833.tif 000005